(57)【要約】      （修正有）【課題】通貨（紙幣や硬貨）や使用地域など、カテゴリごとに通貨やカード類を収容体に整理できるとともに、特定の通貨等を使用する際には、その通貨等が収容された収容体を専用財布として使用できる財布を提供する。【解決手段】財布は、開閉可能なリング部１１と、収容口を備え、当該収容口から被収容物を内部に収容する収容体１２と、当該収容体１２にリング部１１を通すリング通貫孔部１３とを有する財布であって、リング部１１は、リング通貫孔部１３に通貫して、収容体１２を着脱可能に保持している。【選択図】図１
0003223113.tif 000002
【実用新案登録請求の範囲】
【請求項１】
開閉可能なリング部（Ａ）と、収容口（ｂ１）を備え、当該収容口（ｂ１）から被収容物を内部に収容する収容体（Ｂ）と、当該収容体（Ｂ）にリング部を通すリング通貫孔部（Ｃ）とを有する財布であって、
リング部（Ａ）は、リング通貫孔部（Ｃ）に通貫して、収容体（Ｂ）を着脱可能に保持していることを特徴とする財布。
【請求項２】
前記リング部（Ａ）が開閉可能なカバー部材（Ｄ）に固定されていることを特徴とする請求項１に記載の財布。
【請求項３】
前記収容部（Ｂ）が、前記収容口（ｂ１）を開閉可能にする収容口開閉手段（ｂ２）を備えることを特徴とする請求項１又は２に記載の財布。
【考案の詳細な説明】
【技術分野】
【０００１】
本考案は、新規な財布に関し、より具体的には、通貨（紙幣や硬貨）の種類や使用地域など、カテゴリごとに通貨やカード類などの被収容物を収容体に整理できるとともに、特定の通貨等を使用する際には、その通貨等が収容された収容体を専用財布として使用できる財布に関する。
【背景技術】
【０００２】
従来、財布は、その所有者の属する国における通貨（紙幣、硬貨（補助貨幣）を収容するものとして設計されている。たとえば、日本国内であれば、円を通貨としていることから、３種類の紙幣を収容する部分（紙幣収容部）と６種類の硬貨を収容する部分（硬貨収容部）が設けられている財布が一般的である。
当然、紙幣収容部でも硬貨収容部でも、数種類の紙幣や硬貨が収容される以上、種類ごと（たとえば、１００円硬貨ごと）に分別されているものではない。そのため、各収容部内は、数種類の硬貨などが混ざっており、十分に整理されているものではなかった。
対して、特許文献１には、３つの硬貨収納部が形成されている長財布が開示されている。かかる長財布によれば、硬貨の分別・整理ができることに起因して、大量の硬貨が溜まることを防ぐことができる。
【先行技術文献】
【特許文献】
【０００３】
【特許文献１】実用新案登録第３２１７４１６号公報
【考案の概要】
【考案が解決しようとする課題】
【０００４】
しかしながら、この長財布は、単一の通貨（通常は、自国の通貨）のみを収容することが前提として設計されているに留まる。そのため、近年のグローバリゼーションの進展や海外への旅行者・海外からの旅行者の増加に伴い、他国の通貨も財布に収容し、整理する必要性が高まっているところ、このような従来の財布では、自国の通貨とともに別の通貨も分別・整理することは極めて困難である。
【０００５】
本考案者は、鋭意検討の結果、財布において、リング部と、被収容物を内部に収容する収容体と、当該収容体にリング部を通すリング通貫孔部とを有する構成を採用することで、上述の問題を解決することできることを見出した。
【０００６】
すなわち、本考案は、通貨（紙幣や硬貨）の種類や使用地域など、カテゴリごとに通貨やカード類などの被収容物を収容体に容易に整理できるとともに、特定の通貨等を使用する際には、その通貨等が収容された収容体を専用財布として使用できる、使い勝手の良い財布を提供することを目的とする。
【課題を解決するための手段】
【０００７】
本考案は、具体的には、以下のとおりである。
［１］  開閉可能なリング部（Ａ）と、収容口（ｂ１）を備え、当該収容口（ｂ１）から被収容物を内部に収容する収容体（Ｂ）と、当該収容体（Ｂ）にリング部を通すリング通貫孔部（Ｃ）とを有する財布であって、
リング部（Ａ）は、リング通貫孔部（Ｃ）に通貫して、収容体（Ｂ）を着脱可能に保持していることを特徴とする財布。
［２］  前記リング部（Ａ）が開閉可能なカバー部材（Ｄ）に固定されていることを特徴とする［１］に記載の財布。
［３］  前記収容部（Ｂ）が、前記収容口（ｂ１）を開閉可能にする収容口開閉手段（ｂ２）
を備えることを特徴とする［１］又は［２］に記載の財布。
【考案の効果】
【０００８】
本考案にかかる財布によれば、通貨（紙幣や硬貨）の種類や使用地域など、カテゴリごとに通貨やカード類を収容体に容易に整理でき、特定の通貨等を使用する際には、その通貨等が収容された収容体を専用財布として使い勝手よく使用できる。
【図面の簡単な説明】
【０００９】
【図１】図１は、本考案にかかる財布の一態様を示すための図面である。
【図２】図２は、本考案にかかる財布の構成要件である収容体（Ｂ）およびリング通貫孔部（Ｃ）の一態様を示すための図面である。
【図３】図３（Ａ）および（Ｂ）は、本考案にかかる財布の構成要件であるカバー部材（Ｄ）の一態様を示すための図である。
【考案を実施するための形態】
【００１０】
以下、本考案にかかる財布について、適宜図面を参照しながら詳細に説明する。本考案にかかる財布は、図１の付番１０に示されるように、リング部（Ａ）１１、収容体（Ｂ）１２およびリング通貫孔部（Ｃ）１３を必須要件として含み、カバー部材（Ｄ）１４などを任意に有していてもよい。
【００１１】
図１の付番１１に示されるように、本発明にかかる財布１０は、たとえば、カードリングなどのような、開閉可能なリング部（Ａ）を有する。リング部（Ａ）は、後述するように、リング通貫孔部（Ｃ）に通貫して、収容体（Ｂ）を保持するものである。また、開閉可能な構成を有しているために、リング部を開いて、所望の収容体（Ｂ）を取り出すことができる。このため、収容体（Ｂ）単独を、専用財布として使用することができる。
【００１２】
また、「開閉可能な」とは、使用者により任意に開いたり（収容体（Ｂ）を取り外したり）、閉じたり（収容体（Ｂ）を保持したり）できることをいう。リング部（Ａ）としては、たとえば、トラスコ中山（ＴＲＵＳＣＯ）社やコクヨ社などで市販されているカードリングなどが挙げられる。
【００１３】
リング部（Ａ）の形状、材質、大きさなどは特に限定されず、保持する収容体（Ｂ）の数、リング通貫孔部（Ｃ）の大きさなどを考慮して適宜選択される。
【００１４】
一般的に、耐久性などを考慮すると、ステンレス製など金属製が好ましいが、プラスチック製であってもよい。また、リング部は円形であってもよいし、角形であってもよい。
【００１５】
図１や図３（Ａ）に示されるように、リング部（Ａ）１１、３１は、リング固定部材１４ａ、３４ａによって固定されていてもよい。この場合、耐久性などを考慮すると、リング固定部材１４は、カバー部材（Ｄ）１４、３４に固定されていることが好ましい。
【００１６】
図１の付番１２に示されるように、本考案にかかる財布は、収容口（ｂ１）を備え、当該収容口（ｂ１）から被収容物を内部に収容する収容体（Ｂ）を有する。ここで、収容口（ｂ１）とは、被収容物を収容体（Ｂ）の内部に収容するための口である。また、被収容物とは、財布に収容されるもの全般を指すが、一般的には、硬貨、紙幣、カード類が挙げられる。
【００１７】
図２の付番２２ａに示されるように、収容体（Ｂ）は、前記収容口（ｂ１）を開閉可能にする収容口開閉手段（ｂ２）を備えていることが好ましい。図２では、付番２２ａで示されるように、収容口開閉手段（ｂ２）として、ファスナーが示されているが、特に限定されるものではない。たとえば、ファスナーの他に、がま口構造などが挙げられる。
【００１８】
また、収容体（Ｂ）の耐久性や意匠性を向上させる観点から、付番２２ｂに示されるように、縫い目があるものであってもよい。また、収容体（Ｂ）の大きさは、適宜選択されるが、一般的には図２に示されるように縦９５ｍｍ、横１８０ｍｍ程度である。収容体（Ｂ）の材質としては、本革、人工皮革、合成皮革などが一般的である。
また、収容体（Ｂ）の数は、通貨（紙幣や硬貨）や使用地域などのカテゴリの数に応じて適宜選択される。
【００１９】
また、本考案にかかる財布は、図１や図３に示されるように、開閉可能なカバー部材（Ｄ）を有し、リング部（Ａ）が開閉可能なカバー部材（Ｄ）に固定されていることが好ましい。ここで、「開閉可能な」とは、図３（Ａ）に示されるようにリング部（Ａ）が露出する状態や図３（Ｂ）に示されるようにリング部（Ａ）がカバー部材（Ｄ）により隠れる状態に任意にすることができることをいう。
【００２０】
カバー部材（Ｄ）の大きさや材質などは特に限定されない。また、材質としては、本革、人工皮革、合成皮革などが一般的である。
【産業上の利用可能性】
【００２１】
本考案によれば、通貨（紙幣や硬貨）の種類や使用地域など、カテゴリごとに通貨やカード類を収容体に整理できるとともに、特定の通貨等を使用する際には、その通貨等が収容された収容体を専用財布として使用できる財布を提供することができる。
【符号の説明】
【００２２】
１０：本発明にかかる財布
１１、３１：リング部（Ａ）
１２、２２：収容体（Ｂ）
２２ａ：収容口開閉手段（ｂ２）
２２ｂ：縫い目
１３、２３：リング通貫孔部（Ｃ）
１４、３４：カバー部材（Ｄ）
１４ａ、３４ａ：リング部固定部材
【図１】
0003223113.tif 000003
【図２】
0003223113.tif 000004
【図３】
0003223113.tif 000005
【手続補正書】
【提出日】令和1年7月18日(2019.7.18)
【手続補正１】
【補正対象書類名】実用新案登録請求の範囲
【補正対象項目名】全文
【補正方法】変更
【補正の内容】
【実用新案登録請求の範囲】
【請求項１】
開閉可能なリング部（Ａ）と、収容口（ｂ１）を備え、当該収容口（ｂ１）から被収容物を内部に収容する収容体（Ｂ）と、当該収容体（Ｂ）にリング部を通すリング通貫孔部（Ｃ）とを有する財布であって、
リング部（Ａ）は、リング通貫孔部（Ｃ）に通貫して、収容体（Ｂ）を着脱可能に保持していることを特徴とする財布。
【請求項２】
前記リング部（Ａ）が開閉可能なカバー部材（Ｄ）に固定されていることを特徴とする請求項１に記載の財布。
【請求項３】
前記収容体（Ｂ）が、前記収容口（ｂ１）を開閉可能にする収容口開閉手段（ｂ２）を備えることを特徴とする請求項１又は２に記載の財布。
【手続補正２】
【補正対象書類名】明細書
【補正対象項目名】０００７
【補正方法】変更
【補正の内容】
【０００７】
本考案は、具体的には、以下のとおりである。
［１］  開閉可能なリング部（Ａ）と、収容口（ｂ１）を備え、当該収容口（ｂ１）から被収容物を内部に収容する収容体（Ｂ）と、当該収容体（Ｂ）にリング部を通すリング通貫孔部（Ｃ）とを有する財布であって、
リング部（Ａ）は、リング通貫孔部（Ｃ）に通貫して、収容体（Ｂ）を着脱可能に保持していることを特徴とする財布。
［２］  前記リング部（Ａ）が開閉可能なカバー部材（Ｄ）に固定されていることを特徴とする［１］に記載の財布。
［３］  前記収容体（Ｂ）が、前記収容口（ｂ１）を開閉可能にする収容口開閉手段（ｂ２）を備えることを特徴とする［１］又は［２］に記載の財布。